【手続補正書】
【提出日】平成16年9月15日(2004.9.15)
【手続補正１】
【補正対象書類名】明細書
【補正対象項目名】全文
【補正方法】変更
【補正の内容】
【書類名】                        明細書
【発明の名称】                人にやさしい洋式便器用便座  
【特許請求の範囲】
【請求項1】  当該変形楕円形人にやさしい洋式便器用便座を、便器に取付けた状態において、便器及び便座の長方向に対して直角方向内幅寸法、及び直角方向内縁部分の最大寸法を210mmから50mmの間の出来得る限り最狭寸法に設定するという特徴を有する人にやさしい洋式便器用便座。
【請求項2】  請求項1に述べる、人にやさしい洋式便器用便座は、当該便座を便器に取り付けた状態において、利用者が便座に座した時に、便座が人体臀部、大腿部裏側部分等に、接触する部分等の断面図上部は、凸型曲線曲面の形状は保持せず、曲線曲面を有する凹型の形状、又、曲線曲面を有する凹型斜面、変形の曲線曲面を有する凹型等の形状を保持すると言う特徴を有する人にやさしい洋式便器用便座。
【請求項３】  請求項2に述べるように便座の表面に凹型の曲線曲面を保持させることにより、利用者が便座に座した時に受ける全荷重は、大腿部裏側で保持するのではなく、利用者が便座に座した時の臀部全体で受けて分散させ、且つ、大腿部裏側等の便座に接触する部分にも、軽く分散させるという特徴を有する人に優しい洋式便器用便座
【請求項４】  請求項1及び請求項2請求項３に述べる便座を、便器にとりつけた状態において、便器、及び便座の長方向に対して、平行方向の有効幅が最大限広くなり、且つ、人体の臀部及び大腿部裏側の形状が便座に座した時に、人体臀部や大腿部裏側の形状に、比較的逆の形状に酷似していると言う特徴を有する人にやさしい洋式便器用便座。
【請求項５】  前記請求項４に述べる便座に、人体臀部が保持される部分、即ち接触する部分から前記請求項3の有効幅部分の形状は、利用者が便座に座した時の利用者の前面部分、つまり膝頭方向へ向かい緩やかな曲線、又は直線の形状を保持しながら上方に向かい高くなっているという特徴を有する人にやさしい洋式便器用便座。
【0001】
【発明の詳細な説明】  当該発明品である人にやさしい洋式便器用便座は、高齢者や身体的弱者、局部を患った患者等、トイレの便座に座する時間が長時間の人達や、又、健全な人達でも快適なトイレでの排泄作業環境を求めている人達に、安全で快適な排泄作業環境を提供する事を目的に発明された物である。請求項１、で述べるように排泄物落下用開口部を必要最低限の開口とする事により、利用者の臀部や大腿部裏側が便座に接触する面積を出来うる限り広くする事を目的としている。又、請求項2、請求項3、請求項4及び請求項５で述べる様に、利用者が便座に座する時に、利用者の臀部及び大腿部裏側などの便座に接触する部分を出来る限り広く取り、又、利用者の臀部や大腿部裏側の形状にできうる限り、逆の形状に酷似する柔らかい曲線曲面を持った凹型の形状にして、便座の臀部や大腿部裏側などに接触する部分を出来得る限り広く取る事により、利用者が便座に座した時に、便座に掛かる利用者自身の全荷重を大腿部裏側の２点のみで保持するのでなく、臀部や大腿部裏側などの面で保持させて全荷重を分散させることにより、利用者は今までの痛みや痺れ等の苦痛から解放される事になる。又、一般的な成人は身長が高く、利用者が便座に座した時には、膝頭の位置が、便器の位置より高い為に、便座に座した時は、膝頭の位置が便座の位置より上方に来る為にトイレ入り口側に向かい、つまり利用者が便座に座した時の状態で、膝頭方向に向かい緩やかに高くする事で、利用者の大腿部裏側に、心地よくフィットするように設計されている。
【0002】
【発明の属する技術分野】
洋式便器用便座に関する発明である。
【0003】
【従来の技術】
従来までの技術により、利用されている洋式便器用便座は、便座凸型便座中央開口部即ち、排泄物処理用開口部の最大開口寸法、即ち便座を便器に取付けた状態において便座の長方向に対して直角方向内幅寸法及び直角方向内縁部分の最大寸法は360ｍｍ前後と不必要な大きさに保持されている、又、利用者が便座に座して時に利用者の大腿部裏側の前場に接触する分の有効幅が極端に狭く、又、利用者の大腿部裏側の形状と同じく、凸型の曲線を持った曲面や斜面等に保持されている為に、より簡単に便座に接している大腿部裏側に食い込みやすくなっています。又、利用者が便座に座した時には、利用者の臀部などは、軽く便座に触れているだけであり、軽く臀部を浮かせて排泄作業を行っているのと同等の姿勢で排泄作業を行っているのである。又、便座を利用しようとする利用者自身の荷重が頭部を中心にしてほぼ垂直に臀部に掛かる全荷重を、利用者の臀部全体で受けて荷重を分散させるのではなく、便座に座した時に接触する利用者の両側大腿部裏側部分の便座凸型曲面の、最高位地点で保持させている。その為に、利用者の大腿部裏側に掛かる全荷重は、便座に接している大腿部裏側の便座最高位置点を支点にして膝頭の方向位置で保持する為にその荷重は大きな荷重となって利用者大腿部裏側に掛かり大変な荷重を大腿部裏側で保持しなければならず、その為に大腿部に簡単に便座が食い込むことになるのである。したがって、その荷重の大きさは想像を絶するほどの大きな荷重を大腿部で保持するにはかなり痛みや痺れ等の苦痛を伴う事となる。又、健康な人達でも、排泄作業時間、環境を快適に過ごしたい人達にも多大なる苦痛や危険を強いている。又、便座の排泄物落下処理用の開口部が必要以上に大きいために、臀部が小さい幼児などは使用に際して、臀部が排泄物処理用開口部に落ち込んだり、挟まったりして、大変な苦痛や危険を強いられているのである.
【0004】
【発明が解決しようとする課題】
前項０００３項で述べるように便座中央部の開口部、即ち排泄物処理用開口部が360mm前後という、その大きさの開口部を保持すれば、美観的側面などから利用者の臀部などに、おおよそ垂直に掛かってくる利用者の全加重を臀部で受け止める便座の面積不足が生じてしまい臀部より前方に位置する大腿部裏側に掛かってくる全荷重は実際の加重より大きな力で保持しなければならないのである。つまり、利用者が、便座を利用中は臀部を軽く浮かせた状態のままで排泄作業を完了させなければいけない状態である。又、開口部が大きければ、利用者が便座に座する時に正位置に座すると言う正確さを多少欠いても、その目的は達成する事は出来るが、それだけに便座に座した時に、その正位置に座すると言う正確さを欠くために、便器本体内面及び便座などを排泄物で汚すことにつながるのである、又、排泄物落下用開口部が必要以上に広い為に、便座自身の表面積が極端に狭く、断面形状が凸型曲面曲線又は緩やかな凸型曲線曲面を有する斜面、斜面等の形状の為に、大腿部裏側に比較的簡単に食い込みやすくなる。又、利用者はある程度、何処にでも座する事が出来るが、反面、座する位置の正確さは損なう事になるのである。又、必要以上に排泄物処理用開口部が大きい為に、幼児等利用者の臀部が小さい人達は、常に排泄物処理用開口部に落ちこんだり、挟まったりする危険性さらされているのである。
【0005】
又、便座本体の断面形状が凸型又は、緩やかな凸型を有する斜面及び、斜面の形状の為に、利用者が便座に座した時は、利用者が便座に座した時の臀部、及び大腿部裏側の形状と、同じ酷似した形状のため、利用者の臀部や大腿部裏側を便座凸型最高位点や便座凸型最高位線上の２ヵ所の線上又は2点で保持する事になり、その為に比較的簡単に臀部や大腿部裏側の便座に接触している部分等に食い込む形になり、高齢者、身体的弱者や、局部を患ったりして、利用時間が長くなる人達には苦痛を強いられる事になり、快適な排泄作業環境とは程遠い環境で、作業をする事を余儀なくされているのである。又、健康な人達が、排泄物処理作業場所での安全で快適な、排泄物処理作業環境、排泄物処理作業時間を、有効的、且つ、有意義な時間にする事を求めているが、現在の便座では排泄物処理作業時間を有効的、且つ、有意義、快適に利用したくても利用出来ないのが現状である。
【0006】
【課題を解決するための手段】
そこで、本発明は、前項０００３項０００４項０００５項で述べる課題を解決する手段として、出来得る限り、便座中央部の開口部、即ち、排泄物処理用開口部を、必要最小限の大きさ、50mmから210mmに設定して、無駄な開口部をなくす事により便座が人体臀部、及び大腿部裏側に接触する部分を広くし、又、便座が利用者の臀部、及び大腿部裏側に接触する部分、座する部分の断面を、出来得る限り利用者が便座に座した時の臀部、及び大腿部裏側の形状とは逆の臀部や大腿部裏側の形状と酷似した逆の凹型の曲線曲面を保持させた形状にさせて、臀部及び大腿部裏側を包み込む形状にして、利用者が便座に座した時に掛ける体重や荷重を、点や線から面で保持する構造にする事で問題の解決を図るものである。又、開口部を必要最低限50mmから210ｍｍの最狭寸法にする事により、臀部が小さい幼児でも、排泄物処理用開口部に臀部が落ちこんだり挟まったりする事なく、安心して排泄作業を完遂する事が出来る様にして、危険性を回避して、安全で快適な排泄物処理作業をすることが出来る。又、健康な人達にも安全で快適な排泄物処理作業環境を提供す事により、排泄物処理作業時間の有効的、且つ、有意義に利用できる環境を提供して、問題の解決を図るものである。
【0007】
【発明の実施の形態】
ここで図面を参照して発明の実施の形態を説明する。
図1は、当該人にやさしい洋式便器用便座の平面図である。この平面図から判別できるように、人にやさしい洋式便器用便座の中央部分、排泄物処理部分、図1の符号2、を出来得る限り最侠50mmから210mmにする事により、利用者の臀部を保持する部分、接触する部分、図1の符号1の有効幅を、最大限にして利用者が、当該便座を利用したときに、利用者の体重等により、掛かる荷重を点や線上から、依り広い面で保持して荷重を分散する構造である為に、安全で快適な作業環境を提供できる物である。又、現在使用されている便座は、排泄物処理開口部分、図1の符号2、が必要以上に大きいために、幼児等のように臀部が小さい人は、臀部が落ち込んだり、挟まれたりして、非常に危険であるが、当該便座は、排泄物処理部分図1の符号2が必要最狭寸法50mmから210mmまでと最狭寸法構造の為に、臀部が小さい幼児等でも、臀部がおちこんだり、挟まったりする事無く、苦痛もなく、危険性もなく、安心して排泄作業の環境を提供出来る物である、又、図２は、図１中のA-Ａ´の断面図であるが、図２中符号1の様に、利用者の臀部及び大腿部裏側の形状とは逆に形状に類似保持させて凹型の形状を保持させているために、利用者自信の体重や荷重がこれまでのように点や線上でなく、より広い面で保持されるために利用者の体重や荷重は分散されて、安定感と共に利用者は苦痛を強いられる事無く、又危険性も伴わずに、安全で快適な排泄作業環境で、作業を行なう事が出来る物である。
【0008】
【発明の効果】
当該発明品である、人にやさしい洋式便器用便座は、今までに述べる様に、利便性、安全性、快適性等、計り知れない利便性等を多くの人達に提供する物である、又、これから、日本は高齢化社会を迎える事になり、それらの多くの人達に、より安全で快適な排泄作業環境を提供する事が急務となっており、それと共に、身体的弱者、局部を患っている患者等も同様である。又、健全な人でも、安全で快適な排泄作業環境を望んでいる人達に、より安全な排泄物処理作業環境を提供する事は、社会的に非常に重要性を増してきているのが現状である。したがって、当該発明品である洋式便器用便座を、広く社会に普及させる事により、公共の福祉と安全に多大な貢献をする事が出来る物である。
【0009】
【図面の簡単な説明】
【図1】
当該発明品である人にやさしい洋式便器用便座の平面図である。
【図2】
図1中のA―A´の断面図である。
【0010】
【符号の説明】
当該発明品である洋式便器用便座本体であり、人体臀部や大腿部裏側等に接触する部分である。
排泄物処理用空間部分である。
当該便座を便器に取付ける部分のヒンジである。
当該人にやさしい便座の補強部材である。
【手続補正２】
【補正対象書類名】図面
【補正対象項目名】全図
【補正方法】変更
【補正の内容】
【図１】
2004097475.tif 000001
【図２】
2004097475.tif 000002